(57)【特許請求の範囲】
【請求項１】
水平の天板に形成する貸金庫ボックス用の開口部を開閉するタッチパネル形の操作パネルと、開口部の左右の水平のガイドレールに沿って前後動するスライダと、開口部の後部上方において上下に揺動するリンク材と、開口部の後部に設置する下部開放のケーシングとを備えてなり、前記スライダは、前記操作パネルの下辺側の左右にそれぞれ相対回転可能に連結し、前記リンク材は、前記操作パネルの上辺側に相対回転可能に連結し、前記操作パネルは、前記スライダを前進させると、下辺側が開口部の前端に移動し、開口部上に斜めに保持されて開口部を全閉し、前記スライダを後退させると、下辺側が開口部の後部に移動し、開口部の後部に起立して開口部を全開し、前記ケーシングは、前記リンク材とともに全開状態の前記操作パネルの上半部を収納することを特徴とする貸金庫システムにおける貸金庫ボックス用の開口部の開閉装置。
【請求項２】
前記スライダは、駆動モータによって循環駆動する無端のワイヤを介して前後に駆動することを特徴とする請求項１記載の貸金庫システムにおける貸金庫ボックス用の開口部の開閉装置。
【請求項３】
前記ケーシングの前面には、開口部の左右に突出し、全閉状態の前記操作パネルの左右を覆うカバーを付設することを特徴とする請求項１または請求項２記載の貸金庫システムにおける貸金庫ボックス用の開口部の開閉装置。
【発明の詳細な説明】
【技術分野】
【０００１】
この発明は、貸金庫システムにおいて、ブース内の操作台に設ける貸金庫ボックス用の開口部を開閉する貸金庫システムにおける貸金庫ボックス用の開口部の開閉装置に関する。
【背景技術】
【０００２】
金融機関の店舗などには、顧客の要望に応じて貴重品などを安全に保管する貸金庫システムを設置することがある。
【０００３】
従来の貸金庫システムは、顧客がブース内に入室し、ブース内の操作台上のタッチパネル形の操作パネルを操作することにより、顧客の貸金庫ボックスを金庫室から操作台の開閉蓋付きの開口部まで自動的に搬出させ、顧客が保持する鍵を使用して貸金庫ボックスを開けて内部を利用させる。そこで、操作台には、操作パネルと、貸金庫ボックス用の開閉蓋付きの開口部とが併置され、必要に応じて、顧客の認証用のカードリーダなどが設置される（たとえば特許文献１、２）。なお、利用済みの貸金庫ボックスは、顧客の返却指示により、金庫室の所定の収納場所に自動的に戻し入れられる。
【先行技術文献】
【特許文献】
【０００４】
【特許文献１】特開２０１１−１０６１３２号公報
【特許文献２】特開２０１０−９０５８３号公報
【発明の概要】
【発明が解決しようとする課題】
【０００５】
かかる従来技術によるときは、ブース内の操作台は、貸金庫ボックス用の開閉蓋付きの開口部と、操作パネルとを少なくとも併置する必要があるため、ブースの所要面積が大きくなりがちであり、狭少な店舗内に貸金庫システムを導入する際にレイアウトが困難になることがあるという問題があった。
【０００６】
そこで、この発明の目的は、かかる従来技術の問題に鑑み、タッチパネル形の操作パネルを利用して貸金庫ボックス用の開口部を開閉することにより、ブース内の操作台を小形化し、ブースが過大になることによる問題を有効に解決することができる貸金庫システムにおける貸金庫ボックス用の開口部の開閉装置を提供することにある。
【課題を解決するための手段】
【０００７】
かかる目的を達成するためのこの発明の構成は、水平の天板に形成する貸金庫ボックス用の開口部を開閉するタッチパネル形の操作パネルと、開口部の左右の水平のガイドレールに沿って前後動するスライダと、開口部の後部上方において上下に揺動するリンク材と、開口部の後部に設置する下部開放のケーシングとを備えてなり、スライダは、操作パネルの下辺側の左右にそれぞれ相対回転可能に連結し、リンク材は、操作パネルの上辺側に相対回転可能に連結し、操作パネルは、スライダを前進させると、下辺側が開口部の前端に移動し、開口部上に斜めに保持されて開口部を全閉し、スライダを後退させると、下辺側が開口部の後部に移動し、開口部の後部に起立して開口部を全開し、ケーシングは、リンク材とともに全開状態の操作パネルの上半部を収納することをその要旨とする。
【０００８】
なお、スライダは、駆動モータによって循環駆動する無端のワイヤを介して前後に駆動することができる。
【０００９】
また、ケーシングの前面には、開口部の左右に突出し、全閉状態の操作パネルの左右を覆う左右のカバーを付設してもよい。
【発明の効果】
【００１０】
かかる発明の構成によるときは、タッチパネル形の操作パネルは、下辺側の左右が操作台の貸金庫ボックス用の開口部の左右のガイドレール上のスライダに相対回転可能に連結されているため、スライダを前進させると、開口部上に仰臥するようにして斜めに倒れて保持され、開口部を全閉することができ、スライダを後退させると、開口部の後部に起立させて開口部を全開することができる。操作パネルの上辺側は、開口部の後部上方において上下に揺動するリンク材に相対回転可能に連結されており、スライダが前進すると、リンク材が下向きに揺動して操作パネルの上辺側を低い位置に保持する一方、スライダが後退すると、リンク材が上向きに揺動して操作パネルの上辺側を高い位置に保持するからである。そこで、操作パネルは、貸金庫ボックス用の開口部を開閉することができ、したがって、操作パネルと、開閉蓋付きの開口部とを併置する従来の場合に比して、操作台の所要寸法をほぼ半減してブースの所要面積を必要最少に抑制することができる。
【００１１】
なお、操作パネルは、全閉状態において、上辺側が下辺側より僅かに高い斜めの姿勢で表示面が上向きであり、全開状態において、上辺側が下辺側より十分に高い起立姿勢で表示面がほぼ前向きである。そこで、操作台の前面に立つ顧客は、操作パネルの表示面を常に見ることができ、必要に応じて、表示面に表示されるボタンを押し操作することができる。
【００１２】
駆動モータによって循環駆動する無端のワイヤを介してスライダを前後に駆動すれば、操作パネルを全閉状態、全開状態に円滑に電動駆動することができる。なお、左右のスライダは、その一方のみをワイヤに連結して積極駆動し、他方を追随移動させてもよく、その双方を機械的または電気的に同期して積極駆動してもよい。ただし、ワイヤは、スチールテープやチェーンなどの可撓性の索状体に代えてもよい。また、各スライダは、ガイドレールに組み込むリニアモータによって直線駆動してもよい。
【００１３】
開口部の後部に設置する下部開放のケーシングには、全開状態の操作パネルの上半部を収納し、併せてリンク材を収納することができる。なお、全開状態の操作パネルの下半部には、利用済みの貸金庫ボックスの返却指示用のボタンを表示し、その操作用の案内メッセージを表示することができる。
【００１４】
ケーシングの前面に付設する左右のカバーは、全閉状態の操作パネルの左右を覆い、顧客に対する安全性や、全体の外観を向上させることができる。
【図面の簡単な説明】
【００１５】
【図１】中央縦断面動作説明図
【図２】全体斜視説明図
【図３】図１のＸ−Ｘ線矢視相当要部拡大断面図
【図４】図３のＹ矢視相当要部上面図
【図５】図３の要部拡大相当図
【図６】図１の要部拡大説明図
【図７】図４のＺ矢視相当断面図
【図８】要部拡大斜視説明図
【図９】操作パネル上のメッセージの一例図
【発明を実施するための形態】
【００１６】
以下、図面を以って発明の実施の形態を説明する。
【００１７】
貸金庫システムにおける貸金庫ボックス用の開口部の開閉装置は、貸金庫システムのブース内に設置する操作台１０において、貸金庫ボックスＢ用の開口部Ｗを開閉するタッチパネル形の操作パネル２１を備えてなる（図１、図２）。ただし、図１の実線、二点鎖線は、それぞれ全閉状態、全開状態の操作パネル２１を示し、図２（Ａ）、（Ｂ）は、それぞれ操作パネル２１が全閉状態、全開状態の操作台１０の全体斜視図である。また、以下の説明において、図１の左方向、右方向をそれぞれ前方向、後方向とする。
【００１８】
操作台１０は、天板１１を有する机形に形成されている。天板１１には、前後の奥行Ｗa 、左右の幅Ｗb の開口部Ｗが形成されている。そこで、図示しない金庫室から搬出される貸金庫ボックスＢを開口部Ｗの直下に位置決めすると、操作パネル２１を全開状態にして貸金庫ボックスＢの蓋Ｂ1 を開き、貸金庫ボックスＢの内部を利用することができる。
【００１９】
なお、金庫室は、図示しない壁面を介し、操作台１０に向ってたとえば左側に隣接しているものとし、金庫室には、多数の貸金庫ボックスＢ、Ｂ…が保管されている。そこで、操作パネル２１を介して特定の顧客の認証情報を入力すると、専用の搬送システムが作動して当該顧客の貸金庫ボックスＢが操作台１０の開口部Ｗの直下にまで自動的に搬出される。また、操作台１０内には、図示しないリフタが組み込まれており、搬出された貸金庫ボックスＢの高さ寸法に合わせて、開口部Ｗにおける貸金庫ボックスＢの上面の高さ位置を一定にコントロールするものとする。
【００２０】
操作台１０の開口部Ｗの後部には、下部開放の横長のケーシング１２が設置されており、ケーシング１２には、全開状態の操作パネル２１の上半部が収納されている。また、ケーシング１２の前面には、開口部Ｗの左右に突出するカバー１３、１３が付設されており、カバー１３、１３は、全閉状態の操作パネル２１の左右を覆って閉じることができる。向って右側のカバー１３上には、顧客の認証用のカードリーダ１４が設置されており、カードリーダ１４の上方には、ケーシング１２内に設置するスピーカ１５からの音声ガイドを聞くための小孔群が開口されている。また、カードリーダ１４側のカバー１３の側面からケーシング１２の端面にかけて、隠蔽用の衝立板１２ａが付設されている。ケーシング１２の中央部には、顧客の来訪を検出するセンサ１６が前向きに内蔵され、開口部Ｗの前後には、開口部Ｗに搬出された貸金庫ボックスＢを検出するセンサ１７、１７が設けられている。
【００２１】
操作パネル２１は、表示面２１ａを有する。表示面２１ａは、操作パネル２１の全閉状態において斜め上向きであり、全開状態において斜め前向きである。そこで、操作台１０の前面に立つ顧客は、操作パネル２１の全閉状態、全開状態に拘らず、表示面２１ａに表示される案内メッセージを読み、表示面２１ａに表示されるボタンを押し操作可能である。
【００２２】
開口部Ｗの左右には、前後方向のガイドレール２２、２２が設置されている（図３、図４）。ガイドレール２２、２２は、それぞれ対応するブラケット２２ａを介して水平に支持されている。各ガイドレール２２には、スライダ２３が収納されており（図３、図５）、スライダ２３は、ガイドレール２２に沿って前後に直線移動することができる。なお、各ガイドレール２２の両端部には、スライダ２３の機械的な前進限、後退限を規定するストッパブロック２２ｂ、２２ｂが装着されている（図４）。
【００２３】
スライダ２３、２３の上面には、それぞれ対応するガイドレール２２上を横切るようにして連結プレート２４がねじ止めされている（図４、図５）。なお、各スライダ２３には、連結プレート２４用の止めねじ２３ｂをねじ込むねじブロック２３ａが埋設されている。各連結プレート２４の内側、すなわち操作パネル２１側の先端の下向きの折曲面には、内向きの軸受ピン２４ａが突設され（図３、図６）、各軸受ピン２４ａは、操作パネル２１の下辺側に固定する軸受ブロック２４ｂに相対回転自在に挿入されている。すなわち、スライダ２３、２３は、軸受ピン２４ａ付きの連結プレート２４、２４、操作パネル２１側の軸受ブロック２４ｂ、２４ｂを介し、操作パネル２１の下辺側の左右に相対回転可能に連結されている。ただし、図６（Ａ）、（Ｂ）は、それぞれ図１の前部、後部の要部拡大図である。
【００２４】
向って右側の連結プレート２４は、駆動用の無端のワイヤ２５に連結されている（図４、図５）。すなわち、連結プレート２４の外向きの先端には、押えプレート２５ａ、押えねじ２５ｂ、２５ｂ…を介し、ガイドレール２２と平行に循環走行するワイヤ２５が連結され、ワイヤ２５は、前後のプーリ２５ｃ、２５ｄに巻き掛けられている（図４、図７）。なお、後のプーリ２５ｄは、ギヤボックス２５ｆを介して駆動モータ２５ｅに連結する駆動プーリとなっており、ワイヤ２５の途中には、コイルばね式のテンショナ２５ｇが介装されている。
【００２５】
操作パネル２１の上辺側には、横長の板状のリンク材２６が相対回転自在に連結されている（図１、図８）。ただし、図８（Ａ）、（Ｂ）は、それぞれ操作パネル２１が全閉状態、全開状態の要部斜視図である。
【００２６】
リンク材２６の左右の短辺側には、それぞれ折曲面の両端を直線状、傾斜状に延長して連結用の舌片２６ａ、２６ｂが形成されている。直線状の舌片２６ａ、２６ａは、共通の支軸２６ｃを介してケーシング１２の左右のサイドフレーム１２ｂ、１２ｂの前端縁の軸受１２ｃ、１２ｃに相対回転自在に連結されている。また、他方の傾斜状の舌片２６ｂ、２６ｂは、共通の連結軸２６ｄを介し、操作パネル２１の上辺側の左右に突設する舌片２１ｂ、２１ｂに相対回転自在に連結されている。ただし、図８には、リンク材２６の一方の短辺側と、それに対応する一方のサイドフレーム１２ｂ、一方の舌片２１ｂが図示されている。そこで、リンク材２６は、連結軸２６ｄを介して操作パネル２１の上辺側の左右に相対回転可能に連結されており、開口部Ｗの後部上方において、支軸２６ｃのまわりに上下に揺動可能である（図１の実線、二点鎖線）。
【００２７】
図１、図７において、駆動モータ２５ｅを正逆に回転駆動し、ワイヤ２５を介して一方の連結プレート２４、スライダ２３を前後に直線移動させると、操作パネル２１の下辺側が前後に水平移動するとともに、他方の連結プレート２４、スライダ２３も前後に追随移動し、操作パネル２１の下辺側を前後に円滑に平行移動させることができる。一方、このとき、操作パネル２１の上辺側は、上下に揺動するリンク材２６に連結されているため、下辺側が前後動するに従って、リンク材２６の揺動とともに上下に移動する。すなわち、操作パネル２１は、駆動モータ２５ｅを介し、下辺側が開口部Ｗの前端に移動し、開口部Ｗ上に斜めに倒れて保持され、開口部Ｗを全閉する全閉状態（図１の実線）と、下辺側が開口部Ｗの後部に移動し、開口部Ｗの後部に起立して開口部Ｗを全開する全開状態（同図の二点鎖線）との間に可逆的に移行させることができる。なお、全開状態の操作パネル２１は、リンク材２６とともに上半部がケーシング１２に収納されている。
【００２８】
一方、操作パネル２１の下端縁には、クッション材２１ｃが装着されている（図１、図６（Ａ））。また、開口部Ｗに臨む天板１１の端縁部には、クッション材２１ｃより高硬度のクッション材１１ａが装着されており、操作パネル２１を全閉状態にすると、クッション材２１ｃがクッション材１１ａに当接して弾性変形し、両者が密着する。さらに、開口部Ｗの前端側には、クッション材２１ｃと同一形状のクッション材１８ａが装着されており、開口部Ｗの左右両端側には、同様のクッション材１８ｂ、１８ｂが装着されている（図３）。
【００２９】
かかる開口部Ｗの開閉装置は、たとえば次のように作動する。ただし、操作台１０は、入室ドアがない開放タイプのＡＴＭ形のブース内に設置されているものとする。また、操作パネル２１は、開口部Ｗを全閉状態にして待機している（図１の実線、図２（Ａ））。
【００３０】
顧客が操作台１０の前面に立つと、センサ１６によって顧客を認識し、操作パネル２１の表示面２１ａには、顧客の認証用のＩＤカードをカードリーダ１４に投入すべき旨の案内メッセージが表示され、スピーカ１５から同旨の音声ガイドが繰り返し報知される。そこで、顧客がＩＤカードをカードリーダ１４に投入し、顧客の認証が成立すると、操作パネル２１には、暗証番号の入力を促す案内メッセージが表示され、その入力用の数字ボタンが表示されるので、顧客は、数字ボタンを押し操作して暗証番号を入力する。
【００３１】
正しいＩＤカードが認証されると、図示しない搬送システムにより、認証情報に記録された顧客の貸金庫ボックスＢを対象として、金庫室内からの貸金庫ボックスＢの搬出動作が開始される。そこで、操作パネル２１には、搬出動作の進行状況をメッセージとして逐次表示してもよい。
【００３２】
顧客の貸金庫ボックスＢが開口部Ｗの直下の所定位置に搬出されると、操作パネル２１上には、その旨が表示される。そこで、入力された暗証番号がＩＤカードの認証情報と一致していることを条件にして、操作パネル２１は、全開状態に移行し（図１の二点鎖線、図２（Ｂ）の実線）、貸金庫ボックスＢの上面を開口部Ｗに露出させるので、顧客は、保持している鍵を使用して貸金庫ボックスＢの蓋Ｂ1 を開き（図２（Ｂ）の二点鎖線）、貸金庫ボックスＢの内部を利用することができる。なお、顧客は、全開状態の操作パネル２１の下半部を常時見ることができる。そこで、このときの操作パネル２１は、たとえば図９のような案内メッセージと返却用のボタンとを下半部に表示して待機する。ただし、入力された暗証番号がＩＤカードの認証情報と一致しないときは、操作パネル２１を全開状態にすることなく、貸金庫ボックスＢを金庫室に戻し入れる。
【００３３】
貸金庫ボックスＢの利用が済んだら、顧客は、蓋Ｂ1 を閉じて施錠し、操作パネル２１上の返却用のボタンを押し操作する。これにより、操作パネル２１は、速やかに全閉状態に戻り、貸金庫ボックスＢは、金庫室内に自動的に戻し入れられる。なお、操作パネル２１が全閉状態に復帰すると、操作パネル２１上には、カードリーダ１４からＩＤカードを抜き取ることを促す案内メッセージが表示され、ＩＤカードがカードリーダ１４から抜き取られると、たとえば「ありがとうございました」などの適当なメッセージが表示され、貸金庫ボックスＢの戻し入れ動作が完了して次の顧客の要求が受付可能となり次第、メッセージを消去して元の待機状態に復帰する。
【００３４】
以上の説明において、操作台１０は、入室ドアを有する密室形のブース内に設置してもよい。このとき、カードリーダ１４は、入室ドアの外側近傍に配置し、ＩＤカードによる認証が成立した顧客に対してのみ入室ドアを自動解錠してブース内への入室を許可することが好ましい。
【００３５】
なお、操作パネル２１の上辺側に連結するリンク材２６は、図示以外の任意の形態に変更することができる。すなわち、有害な捻れを生じることなく操作パネル２１を全閉状態、全開状態に円滑に移行させることができる限り、リンク材２６は、操作パネル２１の上辺側の左右以外の２箇所または１箇所に連結可能であり、それに適した形状に変形可能である。
【産業上の利用可能性】
【００３６】
この発明は、規模の大小に拘らず、任意の形式の貸金庫システムのブースに対し、広く好適に適用することができる。
【符号の説明】
【００３７】
Ｂ…貸金庫ボックス
Ｗ…開口部
１２…ケーシング
１３…カバー
２１…操作パネル
２２…ガイドレール
２３…スライダ
２５…ワイヤ
２５ｅ…駆動モータ
２６…リンク材
特許出願人      株式会社  富士精工本社
【図１】
0005869247.tif 000002
【図２】
0005869247.tif 000003
【図３】
0005869247.tif 000004
【図４】
0005869247.tif 000005
【図５】
0005869247.tif 000006
【図６】
0005869247.tif 000007
【図７】
0005869247.tif 000008
【図８】
0005869247.tif 000009
【図９】
0005869247.tif 000010